(57)【要約】【課題】  無線通信を利用する携帯用電子機器に接続することにより、所望の周波数帯域の受信感度のみを向上させることが可能となるアンテナ内蔵ストラップを提供すること。【解決手段】  本発明のアンテナ内蔵ストラップ１は、環状に形成されているストラップ部２ａを有し、アンテナを有する携帯用電子機器１１と連結されるストラップ本体２と、ストラップ部２ａの長手方向に沿ってその内部に配設されている外部アンテナ３であって、携帯用電子機器１１の電源１９に接続されている接続線５の給電線５ａの先端部Ｐから前方へ延出された放射導体３ｂと、携帯用電子機器１１の接地導体１９ａに接続されている接続線５の接地線５ｂから後方へ延出されスリーブ３ｃとを有する外部アンテナ３とを備えている。【選択図】      図２
2006319732.tif 000002
【特許請求の範囲】
【請求項１】
環状に形成されているストラップ部を有し、無線通信を行なう携帯用電子機器と連結されるストラップ本体と、
前記ストラップ部の長手方向に沿ってその内部に配設されている外部アンテナであって、前記携帯用電子機器の電源に接続されている接続線の給電線の先端部から前方へ延出された放射導体と、前記携帯用電子機器の接地導体に接続されている前記接続線の接地線から後方へ延出されスリーブとを有する外部アンテナとを備えている
ことを特徴とするアンテナ内蔵ストラップ。
【請求項２】
前記接続線は、内部導体を前記給電線とし、外部導体を前記接地線とする同軸ケーブルを用いて形成されている
ことを特徴とする請求項１に記載のアンテナ内蔵ストラップ。
【請求項３】
前記接続線は、誘電基板上に線状に形成された２つの外部導体を前記接地線とし、前記外部導体の間に線状に形成された１つの内部導体を前記給電線とするコプレーナ線路からなる
ことを特徴とする請求項１に記載のアンテナ内蔵ストラップ。
【請求項４】
前記接続線は、誘電基板の一方の面に平板状に形成された外部導体を前記接地線とし、前記誘電基板を介して前記外部導体上に形成された前記外部導体よりも幅の狭い内部導体を前記給電線とするマイクロ・ストリップ線路からなる
ことを特徴とする請求項１に記載のアンテナ内蔵ストラップ。
【請求項５】
前記スリーブは、前記外部導体の長手方向に沿って複数個形成されているとともに、前記外部導体の端部に接続されたスリーブの後方端を基準として、当該各スリーブの後方端から後方に所定の間隔を有してそれぞれ配設されている
ことを特徴とする請求項１から請求項４のいずれか１項に記載のアンテナ内蔵ストラップ。
【請求項６】
前記放射導体の全長および前記各スリーブの全長は、所望の受信電波の波長に１／４を乗じて得た値に設定されている
ことを特徴とする請求項１から請求項４のいずれか１項に記載のアンテナ内蔵ストラップ。
【請求項７】
前記放射導体の全長、前記各スリーブの全長および前記スリーブの配設間隔は、所望の受信電波の波長に１／４を乗じて得た値に設定されている
ことを特徴とする請求項５に記載のアンテナ内蔵ストラップ。
【請求項８】
前記ストラップ本体は、前記携帯用電子機器に内蔵されたチューナを制御する遠隔制御手段を有している
ことを特徴とする請求項１から請求項７のいずれか１項に記載のアンテナ内蔵ストラップ。
【請求項９】
前記遠隔制御手段は、前記接地線もしくは接地線に接続された導体を共通電極として形成されている
ことを特徴とする請求項８に記載のアンテナ内蔵ストラップ。
【発明の詳細な説明】
【技術分野】
【０００１】
本発明は、アンテナ内蔵ストラップに係り、特に、無線通信を利用する携帯用電子機器に接続する外部アンテナとして好適に利用可能となるアンテナ内蔵ストラップに関する。
【背景技術】
【０００２】
従来より、携帯電話機、ＰＤＡ（個人用携帯情報端末機）その他の無線通信を利用する携帯用電子機器（以下、単に「携帯用電子機器」という。）は、所望の電波を受信するアンテナを備えている。このアンテナにおいては、受信電波の周波数や受信感度などに応じてその形状や配置などが決められている。例えば、極超短波（ＵＨＦ）を利用する携帯電話機は、その筐体から外部に向かって延出するホイップアンテナと、その筐体内部に配設されている内蔵アンテナとを有しており、このホイップアンテナおよび内蔵アンテナによって、当該携帯電話機は空間ダイバーシティを構成してその受信感度を向上させている（特許文献１を参照）。
【０００３】
また、所望の受信感度と高い携帯性を得るため、携帯用電子機器に用いられるイヤホーンやヘッドホーンなどに一体成形された外部アンテナを当該携帯用電子機器のアンテナとして利用する場合もある。その一例として、ダイバーシティアンテナ兼用ヘッドホーンは、当該スピーカ部のＧＮＤ信号線から所望の電波を受信し、ダイバーシティアンテナ兼用ヘッドホーンに接続された当該携帯用電子機器に受信した電波の電気信号を転送することが可能となっている（特許文献２を参照）。
【０００４】
【特許文献１】特開平８−７９１５２号公報
【特許文献２】特開２００３−１６３５２９号公報
【発明の開示】
【発明が解決しようとする課題】
【０００５】
しかしながら、携帯用電子機器のホイップアンテナおよび内蔵アンテナを利用して空間ダイバーシティを構成した場合であっても、携帯用電子機器の筐体サイズの制限により、ホイップアンテナから内蔵アンテナまでの距離を大きくすることができず、当該携帯用電子機器に対してフェージング対策を効果的に施すことが困難であるという問題があった。
【０００６】
また、携帯用電子機器に接続されるダイバーシティアンテナ兼用ヘッドホーンなどの接地線を利用する外部アンテナは、通常、携帯用電子機器の接続部からスピーカ部までの当該接地線を弛ませて用いられる傾向にあることから、ダイバーシティアンテナ兼用ヘッドホーンなどを用いても高い受信感度の向上を期待することが難しく、携帯用電子機器に対してフェージング対策を効果的に施しているとまでは至っていかったという問題があった。
【０００７】
さらに、ダイバーシティアンテナ兼用ヘッドホーンなどの接地線を利用する外部アンテナは、地上デジタル音声放送用電波などの狭い周波数帯域を利用する電波を受信する際に、所望の受信電波の周波数帯域外の電波を受信してしまうことも多く、当該受信時に不要なノイズを含んでしまう問題があった。
【０００８】
そこで、本発明はこれらの点に鑑みてなされたものであり、携帯電話機、ＰＤＡ（個人用携帯情報端末機）その他の無線通信を利用する携帯用電子機器に接続することにより、当該携帯用電子機器の受信感度を向上させるとともに、地上デジタル音声放送用電波などの狭い周波数帯域を利用する電波を効率よく、かつ不要なノイズを含むことなく受信することが可能となるアンテナ内蔵ストラップを提供することを本発明の目的としている。
【０００９】
また、本発明は、アンテナ内蔵ストラップの内部構造を簡易かつ薄型なものとし、さらに携帯用電子機器の利便性を向上させることが可能なアンテナ内蔵ストラップを提供することを他の目的としている。
【課題を解決するための手段】
【００１０】
前述した目的を達成するため、本発明のアンテナ内蔵ストラップは、一の態様として、環状に形成されているストラップ部を有し、無線通信を行なう携帯用電子機器と連結されるストラップ本体と、ストラップ部の長手方向に沿ってその内部に配設されている外部アンテナであって、携帯用電子機器の電源に接続されている接続線の給電線の先端部から前方へ延出された放射導体と、携帯用電子機器の接地導体に接続されている接続線の接地線から後方へ延出されスリーブとを有する外部アンテナとを備えていることを特徴としている。
【００１１】
これによって、携帯用電子機器のアンテナとアンテナ内蔵ストラップの外部アンテナとによる空間ダイバーシティおよび偏波ダイバーシティ効果を効果的かつ相乗的に得ることが可能となる。また、その外部アンテナがスリーブ付アンテナとして形成されていることから、地上デジタル有声放送用電波などの狭い周波数帯域を利用する電波のみを効率的に受信することが可能となる。
【００１２】
また、本発明のアンテナ内蔵ストラップにおいては、他の態様として、接続線は、内部導体を給電線とし、外部導体を接地線とする同軸ケーブルを用いて形成されていることが好ましい。
【００１３】
これによって、接続線が外部から受けるノイズの影響を受けにくくなり、外部アンテナから携帯用電子機器までの間の電気信号の伝送を安定して行なうことが可能になる。
【００１４】
また、本発明のアンテナ内蔵ストラップにおいては、他の態様として、接続線は、誘電基板上に線状に形成された２つの外部導体を接地線とし、外部導体の間に線状に形成された１つの内部導体を給電線とするコプレーナ線路からなるように形成されていても良い。
【００１５】
これによって、前述した同軸ケーブルを用いる態様と同様、接続線が外部から受けるノイズの影響を受けにくくなり、外部アンテナから携帯用電子機器までの間の電気信号の伝送を安定して行なうことが可能になる。また、誘電基板上に形成された給電線および接地線の幅や厚さの変更によって、外部アンテナと接続線とのインピーダンス整合を容易に行なうことが可能となる。
【００１６】
また、本発明のアンテナ内蔵ストラップにおいては、他の態様として、接続線は、誘電基板の一方の面に平板状に形成された外部導体を接地線とし、誘電基板を介して外部導体上に形成された外部導体よりも幅の狭い内部導体を給電線とするマイクロ・ストリップ線路からなるように形成されていても良い。
【００１７】
これによって、前述した同軸ケーブルもしくはコプレーナ線路を有する接続線を用いる他の態様と同様、接続線が外部から受けるノイズの影響を受けにくくなるため、外部アンテナから携帯用電子機器までの間の電気信号の伝送を安定して行なうことが可能になる。また、誘電基板の厚さおよびその誘電基板上に形成された給電線および接地線の幅や厚さの変更によって、外部アンテナと接続線とのインピーダンス整合を容易に行なうことが可能となる。
【００１８】
また、本発明のアンテナ内蔵ストラップにおいては、他の態様として、スリーブは、外部導体の長手方向に沿って複数個形成されているとともに、外部導体の端部に接続されたスリーブの後方端を基準として、当該各スリーブの後方端から後方に所定の間隔を有してそれぞれ配設されていることが好ましい。
【００１９】
これによって、外部アンテナが複数段のスリーブを有するコリニア・アンテナとなり、アンテナの利得をより大きくすることが可能となる。
【００２０】
また、本発明のアンテナ内蔵ストラップにおいては、他の態様として、放射導体の全長、各スリーブの全長およびスリーブの配設間隔は、所望の受信電波の波長に１／４を乗じて得た値に設定されていることがより好ましい。
【００２１】
これによって、外部アンテナが放射導体とスリーブとによって形成された半波長ダイポールアンテナを形成し、当該外部アンテナが共振することから、効率よく電波を送受信することが可能となる。また、所望の周波数帯域に調整することにより、ノイズ源となる所望の周波数帯域外の電波を受信することを防ぐことが可能となる。
【００２２】
また、本発明のアンテナ内蔵ストラップにおいては、他の態様として、ストラップ本体が、携帯用電子機器に内蔵されたチューナを制御する遠隔制御手段を有していることが好ましい。
【００２３】
これにより、携帯用電子機器を直接的に操作することなく、携帯用電子機器に表示された地上デジタル音声放送のチャンネル（周波数）選択や音量などをアンテナ内蔵ストラップのみにより適宜選択することが可能となり、もって携帯用電子機器の利便性を向上させることが可能となる。
【００２４】
そして、本発明のアンテナ内蔵ストラップにおいては、他の態様として、遠隔制御手段が、接地線もしくは接地線に接続された導体を共通電極として形成されていることが好ましい。
【００２５】
これによって、遠隔制御手段に用いられる部材を一部兼用することが可能となり、当該遠隔制御手段を簡易な構造にすることが可能となる。
【発明の効果】
【００２６】
すなわち、本発明のアンテナ内蔵ストラップによって、携帯用電子機器が所望の電波を効率よくダイバーシティ受信して、フェージングによる信号劣化を効果的に防止することが可能となる。これにより、当該携帯用電子機器等の受信感度が向上するという効果を奏する。
【００２７】
また、本発明のアンテナ内蔵ストラップの外部アンテナによって、所望の周波数帯域のみを受信することが可能となる。これにより、不要な電波の受信によるノイズの発生が低減するという効果を奏する。
【００２８】
さらに、本発明のアンテナ内蔵ストラップは、携帯用電子機器のチューナに接続された制御手段を制御する遠隔制御手段を有していることから、アンテナ内蔵ストラップの利便性が向上するという効果を奏する。
【発明を実施するための最良の形態】
【００２９】
以下、図１から図１１を用いて、本発明のアンテナ内蔵ストラップの各実施形態を説明する。
【００３０】
（１）第１の実施形態
まずはじめに、図１から図８を用いて、第１の実施形態のアンテナ内蔵ストラップを説明する。
【００３１】
ここで、図１は、各実施形態のアンテナ内蔵ストラップおよび携帯用電子機器を平面的に示したものである。図２は、第１の実施形態のアンテナ内蔵ストラップの外部アンテナに同軸ケーブルを有する接続線が接続された状態を概略的に示したものである。図３は、第１の実施形態のアンテナ内蔵ストラップの外部アンテナにコプレーナ線路を有する接続線が接続された状態を概略的に示したものである。図４は、第１の実施形態のアンテナ内蔵ストラップの外部アンテナにマイクロ・ストリップ線路を有する接続線が接続された状態を概略的に示したものである。ここで、図４（ａ）は、外部アンテナの誘電基板の一方の面（表面）を示しており、図４（ｂ）は、外部アンテナの誘電基板の他方の面（裏面）を示している。図５は、図４（ａ）における５−５断面図である。図６は各実施形態のアンテナ内蔵ストラップの回路図を概略的に示したものである。図７は、各実施形態のアンテナ内蔵ストラップを人体の首から懸架した状態を概略的に示したものである。そして、図８は、本発明のアンテナ内蔵ストラップを人体の手首から懸架した状態を概略的に示したものである。
【００３２】
第１の実施形態のアンテナ内蔵ストラップ１Ａは、図１に示すように、携帯電話機、ＰＤＡ（個人用携帯情報端末機）その他の無線通信を利用する携帯用電子機器（以下、単に「携帯用電子機器」という。）１１に接続して利用することが可能となるように形成されている。具体的には、このアンテナ内蔵ストラップ１は、図１に示すように、ストラップ本体２、接続線５（５：５Ａ、５Ｂ、５Ｃの総括符号）、外部アンテナ３および遠隔制御手段６を有している。
【００３３】
前述したストラップ本体２は、ストラップ部２ａ、結束部２ｂおよび連結部２ｃを有している。
【００３４】
ストラップ本体２のストラップ部２ａは、合成樹脂繊維を編み込むことによって、可撓性を有する帯状の中空紐（ストラップ）となるように形成されている。また、この中空状のストラップ部２ａの両端付近は、図１に示すように、結束部２ｂによって結束されることにより、環状に形成されている。そして、この環状に形成されたストラップ部２ａは、例えば、図７に示すように、環状のストラップ部２ａを人体Ｈの首Ｎに掛けると結束部２ｂが人体Ｈの胸部から腹部までの間の部位に配置されるような長さを有して形成されている。
【００３５】
ストラップ部２ａの両端付近を結束する結束部２ｂは、ＡＢＳ（アクリルニトリル・ブタジエン・スチレン共重合体）樹脂などの機械的特性に優れた合成樹脂を用いて、軽量かつ耐衝撃性に優れた箱状に形成されている。また、この結束部２ｂの内部においては、ストラップ部２ａの両端付近が結束されている。そして、この結束部２ｂの外部におけるストラップ部２ａと対向する位置には、携帯用電子機器１１を連結する連結部２ｃが形成されている。
【００３６】
連結部２ｃは、携帯用電子機器１１を連結させても破断しないような強靱な合成樹脂繊維を環状にして形成されている。また、この環状の連結部２ｃは、携帯用電子機器１１のＬ字もしくはＵ字トンネル状の取付孔１１ｂに挿通して結び付けることが可能な程度の長さを有して形成されている。
【００３７】
また、接続線５は、図２に示すように、携帯用電子機器１１の電源１９に接続された給電線５ａ、携帯用電子機器１１の接地導体１９ａに接続された接地線５ｂおよび携帯用電子機器１１の接続リセプタクル（携帯用電子機器側のコネクタ）１１ａに接続される接続プラグ５ｃを有して形成されている。この接続線５の給電線５ａおよび接地線５ｂは、図２に示すように、接続線５Ａが、内部導体９Ａａを給電線５Ａａとしつつ外部導体９Ａｂを接地線５Ａｂとする同心円筒導体の同軸ケーブル９Ａを有して形成されている。
【００３８】
この給電線５Ａａおよび接地線５Ａｂの外部アンテナ３が接続されていない端部には、携帯電話機用平型プラグ（ＥＩＡＪ  ＲＣ−５２４０）などの携帯用電子機器用として規格化された形状の接続プラグ５ｃが形成されている。この接続プラグ５ｃは、遠隔制御手段６などの外部アンテナ３以外の接続線６ａ、６ｂ（図６を参照）に対しても利用可能となるように、複数の接続電極（図示せず）を有して形成されている。なお、結束部２ｂから接続プラグ５ｃまでの外部に露出する部分は、絶縁性の合成樹脂を用いて形成された筒状の保護カバー４によって覆われている。
【００３９】
そして、外部アンテナ３は、より線などの導線を用いて形成されていても良いが、薄型化を図るため、図２に示すように、誘電基板３ａ、放射導体３ｂおよびスリーブ３ｃ有して形成されている。
【００４０】
この外部アンテナ３の誘電基板３ａは、ＰＥＴ（ポリエチレンテレフタレート）などの合成樹脂を用いて、矩形平板状に形成されている。また、この誘電基板３ａは、ストラップ部２ａ内に内蔵されるため、ストラップ部２ａの幅方向（短手方向）の長さよりも短い幅寸法を有して形成されている。
【００４１】
放射導体３ｂは、アルミニウムや銅などの良導電性の金属を用いて、誘電基板３ａ上の長手方向に線状に薄膜形成されている。また、この放射導体３ｂは、接続線５Ａの内部導体９Ａａと接続した際に、内部導体９Ａａの先端部（給電点）Ｐから内部導体９Ａａの長手方向の延長方向（前方）に延出するように形成されている。この放射導体３ｂの全長Ｌ１は、地上デジタル音声放送に用いられる周波数（たとえば１９０ＭＨｚ付近の周波数）となっている電波（以下、「受信電波」という。）の波長の１／４倍の長さとなっている。
【００４２】
また、スリーブ３ｃ（３ｃ：３ｃ１〜３ｃ４の総括符号）は、図２に示すように、接続線５Ａの外部導体９Ａｂの長手方向に所定の間隔を有して複数個配設されており、それぞれのスリーブ３ｃが外部導体９Ａｂからそれと平行に基端部側（後方）に戻るように形成されている。具体的には、放射導体３ｂに最も近接したスリーブ３ｃ１は接続線５Ａの外部導体９Ａｂの端部Ｇに接続しており、当該スリーブ３ｃ１の先端（図２においては下端）を基準として、各スリーブ３ｃ２、３ｃ３、３ｃ４が前述した端部Ｇ側に位置するスリーブ３ｃの先端から外部導体９Ａｂの基端部側（後方）に受信電波の波長の１／４倍の長さだけ間隔を有してそれぞれ配設されている。また、各スリーブ３ｃの全長は、受信電波の波長の１／４倍の長さになっている。ただし、このスリーブ３ｃは、必ずしも複数個形成されていることを要するのではなく、放射導体３ｂに最も近接したスリーブ３ｃ１のみを有して当該外部アンテナ３が形成されていてもよい。
【００４３】
そして、前述のように形成されたこの外部アンテナ３は、図１に示すように、中空のストラップ部２ａの一端からその内部へ挿通して配設されている。
【００４４】
なお、外部アンテナ３に接続される接続線５は、図３に示すように、同軸ケーブル９Ａの代わりにコプレーナ線路９Ｂをもって形成されていても良い。この場合、コプレーナ線路９Ｂを有する接続線５Ｂは、外部アンテナ３の誘電基板３ａ上に線状に形成された２つの外部導体９Ｂｂと、当該外部導体９Ｂｂの間に線状に形成された１つの内部導体９Ｂａとを有して形成されている。
【００４５】
また、前述のコプレーナ線路９Ｂを有する接続線５Ｂと同様、外部アンテナ３に接続される接続線５は、図４（ａ）および（ｂ）に示すように、同軸ケーブル９Ａの代わりにマイクロ・ストリップ線路９Ｃをもって形成されていても良い。この場合、マイクロ・ストリップ線路９Ｃを有する接続線５Ｃにおいては、図４（ａ）に示すように、誘電基板３ａの一方の面３ｅ上に幅の狭い線状の内部導体（ストリップ線路）９Ｃａを中心線上に形成し、図４（ｂ）に示すように、誘電基板３ａの他方の面３ｆ上に内部導体９Ｃａより幅広の平板状に形成された外部導体９Ｃｂを中心線上に形成している。
【００４６】
このようにして形成された外部アンテナ３は、接続線５の接続プラグ５ｃを介して、携帯用電子機器１１に接続されている。この携帯用電子機器１１は、図６に示すように、ホイップアンテナ１２、内蔵アンテナ１３、アンテナ切替手段１４、チューナ１５、電源１９、制御手段１６、ディスプレイ１７およびスピーカ１８を有している。
【００４７】
携帯用電子機器１１のホイップアンテナ１２は、当該携帯用電子機器１１が送受信する電波の波長の１／４倍の長さを有して形成されており、携帯用電子機器１１の筐体に対して出し入れ可能なように配設されている。また、内蔵アンテナ１３は、アルミニウムや銅などの金属材料を用いて矩形平板状に形成されており、その長手方向がホイップアンテナ１２の長手方向に対して直角をなすように携帯用電子機器１１の筐体内部に配設されている。
【００４８】
アンテナ切替手段１４は、ホイップアンテナ１２、内蔵アンテナ１３および接続プラグ５ｃが差し込まれる接続リセプタクル１１ａに接続されており、ホイップアンテナ１２、内蔵アンテナ１３および外部アンテナ３から得られた受信電波の電気信号を適宜切替もしくは合成を行なうように形成されている。
【００４９】
アンテナ切替手段１４に接続しているチューナ１５は、地上デジタル音声放送用チューナとなるように形成されており、受信電波の電気信号から所望のチャンネル（周波数）の電気信号を選別し、音声信号と映像信号（受信電波に映像信号を含んでいる場合のみ）とを分離するように形成されている。また、このチューナ１５は、分離した映像信号と音声信号とを制御手段１６に伝送するように形成されている。
【００５０】
チューナ１５に接続された制御手段１６は、所望のチャンネル（周波数）の電気信号をチューナ１５に選別させる制御を行うように形成されている。また、この制御手段１６は、チューナ１５から得られた映像信号をディスプレイ１７に伝送して所望の画像を表示し、チューナ１５から得られた音声信号をスピーカ１８に伝送して所望の音声を出力する制御を行えるように形成されている。そして、この制御手段１６は、電源１９にも接続されており、電源１９に接続された各種部材に所望の電力を供給する制御を行うように形成されている。
【００５１】
電源１９は、携帯用電子機器１１の各種部材１４〜１８に駆動電力を供給するように形成されている。また、この電源１９は、アンテナ切替手段１４を介して、ホイップアンテナ１２、内蔵アンテナ１３および外部アンテナ３に高周波電流を給電するように形成されている。そして、この電源１９は、外部アンテナ３およびその他の接地線を有する各部材や各手段と接続する接地導体１９ａを有して形成されている。
【００５２】
前述した携帯用電子機器１１の電源１９および制御手段１６には、アンテナ内蔵ストラップ１Ａの遠隔制御手段６が接続されている。この遠隔制御手段６は、図６に示すように、直流電流を伝送する携帯用電子機器１１の電源１９から給電線６ａを介して直列に接続された複数の抵抗Ｒの間およびその列の後端にそれぞれスイッチ７Ａ、７Ｂ、７Ｃ、７Ｄの一端を接続し、また、それら各スイッチ７Ａ、７Ｂ、７Ｃ、７Ｄの他端に電源１９の接地導体１９ａと接続された接地線６ｂを接続することにより形成されている。このスイッチ７Ａ、７Ｂ、７Ｃ、７Ｄは、薄型化が容易なメンブレンスイッチとなっており、図１に示すように、そのスイッチ７Ａ、７Ｂ、７Ｃ、７Ｄの入力面７ａ、７ｂ、７ｃ、７ｄがストラップ部２ａの表面に一体となって形成されている。このスイッチ７Ａ、７Ｂ、７Ｃ、７Ｄの入力面７ａ、７ｂ、７ｃ、７ｄとなるストラップ部２ａの表面には、図１に示すように、所望のチャンネル（周波数）の選出に用いられているマーク７ａ、７ｂや、音量の調整に用いられているマーク７ｃ、７ｄが形成されている。このようなスイッチ７Ａ、７Ｂ、７Ｃ、７Ｄを有する遠隔制御手段６は、アンテナ内蔵ストラップ１Ａのストラップ部２ａおよび保護カバー４を通り、接続プラグ５ｃを介して、携帯用電子機器１１に接続するように配設されている。
【００５３】
次に、図１から図７を用いて、第１の実施形態のアンテナ内蔵ストラップ１Ａの作用を説明する。
【００５４】
第１の実施形態のアンテナ内蔵ストラップ１Ａは、図１に示すように、連結部２ｃを介して携帯用電子機器１１の取付孔１１ｂに連結されている。また、このアンテナ内蔵ストラップ１Ａは、ストラップ部２ａの内部に外部アンテナ部３を有しているとともに、図７に示すように、利用主体である人体Ｈの首Ｎから懸架して当該携帯用電子機器１１を携帯することが可能となっている。これによって、アンテナ内蔵ストラップ１Ａに連結された携帯用電子機器１１の利用主体が特に意識することなく外部アンテナを携帯することが可能となる。
【００５５】
この外部アンテナ３は、受信電波の波長の１／４倍の長さの放射導体３ｂおよびスリーブ３ｃ１によるスリーブ付アンテナとして形成されている。このことから、外部アンテナ３は、放射導体３ｂとスリーブ３ｃ１とによる半波長ダイポールアンテナを形成し、当該外部アンテナによって受信電波が共振することから、所望の電波を送効率よく受信することが可能となる。また、放射導体３およびスリーブ３ｃの全長を所望の周波数帯域に調整することにより、ノイズ源となる所望の周波数帯域外の電波の受信を防止することが可能となる。
【００５６】
さらに、この外部アンテナ３は、スリーブ３ｃ２、３ｃ３、３ｃ４のように、スリーブ３ｃを複数段有するコリニア・アンテナとなっていることから、一段のスリーブ３ｃ１によって構成される外部アンテナ３よりもアンテナの利得をより大きくすることが可能となる。
【００５７】
そして、この外部アンテナ３は、図２、図３および図４に示すように、同軸ケーブル９Ａ、コプレーナ線路９Ｂもしくはマイクロ・ストリップ線路９Ｃのいずれか１つを有して形成された接続線５（５Ａ、５Ｂ、５Ｃ）を用いて、携帯用電子機器１１に接続されている。これによって、接続線５は、外部から受けるノイズの影響を少なくすることが可能となるため、外部アンテナ３から携帯用電子機器１１までの間の電気信号の伝送を安定して行なうことが可能となっている。
【００５８】
特に、図３に示すように、コプレーナ線路９Ｂを有して形成された接続線５Ｂにおいては、図２に示すような同軸ケーブル９Ａを有して形成された接続線５Ａよりも薄型化を図ることが可能になるとともに、外部アンテナ３の誘電基板３ａ上に形成された内部導体９Ｂａおよび外部導体９Ｂｂの幅や厚さの変更によって、外部アンテナ３と接続線５Ｂとのインピーダンス整合を容易に行なうことが可能となる。
【００５９】
また、図４に示すように、マイクロ・ストリップ線路９Ｃを有して形成された接続線５Ｃにおいては、図２に示すような同軸ケーブル９Ａを有して形成された接続線５Ａよりも薄型化を図ることが可能になるとともに、外部アンテナ３の誘電基板３ａ上に形成された内部導体（ストリップ線路）９Ｃａおよび平板状の外部導体９Ｃｂの幅や厚さの変更、ならびに誘電基板３ａの厚さの変更によって、外部アンテナ３と接続線５Ｃとのインピーダンス整合を容易に行なうことが可能となっている。
【００６０】
前述のような作用を生じる外部アンテナ３は、図６に示すように、接続プラグ５ｃを介してアンテナ切替手段１４に接続されている。このアンテナ切替手段１４は、ホイップアンテナ１２、内蔵アンテナ１３および外部アンテナ部３から得られた受信電波の電気信号を適宜切替もしくは合成を行なうように形成されている。また、第１の実施形態のアンテナ内蔵ストラップ１Ａは、外部アンテナ３が接続線５を介して携帯用電子機器１１に接続されていることから、ホイップアンテナ１２もしくは内蔵アンテナ１３と外部アンテナ部３との間を、地上デジタル音声放送用電波の波長の１／４倍の長さ以上離して配設することが可能となっている。これによって、第１の実施形態のアンテナ内蔵ストラップ１Ａを用いることによって、当該携帯用電子機器１１は空間ダイバーシティ効果をも得ることが可能となっている。
【００６１】
さらに、ホイップアンテナ１２と外部アンテナ３との構成においては、図７に示すように、利用主体が携帯用電子機器１１のディスプレイ１７を視認しやすいようにするために、当該利用主体の手Ａによって当該携帯用電子機器１１を立てながら保持することが多い。このことから、ホイップアンテナ１２と外部アンテナ部３とが直交して偏波ダイバーシティを構成する傾向にあり、外部アンテナ３が接続された携帯用電子機器１１は、空間ダイバーシティ効果のみならず偏波ダイバーシティ効果を得ることが可能となっている。
【００６２】
前述したホイップアンテナ１２、内蔵アンテナ１３および外部アンテナ３を利用することにより、当該携帯用電子機器１１は、所望の地上デジタル音声放送用電波を効率よく受信する。それら３つのアンテナによって受信された電波は、電気信号に変えられて、その後にアンテナ切替手段１４を介してチューナ１５に送られる。チューナ１５は、当該受信電波の電気信号から所望のチャンネル（周波数）の電気信号を選別し、映像信号と音声信号とを分離すると、当該映像信号と音声信号とを制御手段１６に伝送する。そして、制御手段１６は、映像信号をディスプレイ１７に伝送して所望の画像を表示させるとともに、チューナ１５から得られた音声信号をスピーカ１８に伝送して所望の音声を出力させる制御を行なう。
【００６３】
ここで、第１の実施形態のアンテナ内蔵ストラップ１Ａは、接続プラグ５ｃを介して当該携帯用電子機器１１に接続された遠隔制御手段６を有しており、この遠隔制御手段６が、図１および図６に示すように、所望の地上デジタル音声放送用チャンネル（周波数）の選出や、地上デジタル音声放送の音量の調整を行なうためのスイッチ７Ａ、７Ｂ、７Ｃ、７Ｄを有している。これにより、携帯用電子機器１１に配設された制御用スイッチ（図示せず）を操作することなく、アンテナ内蔵ストラップ１Ａのみにより、地上デジタル音声放送のチャンネル（周波数）や音量などを適宜選択することが可能となっている。
【００６４】
なお、前述した第１の実施形態のアンテナ内蔵ストラップ１Ａにおいては、人体Ｈの首Ｎからストラップ部２ａを懸架して利用することを想定して、そのストラップ部２ａの長さが決められているが、図８に示すように、人体Ｈの手Ａ（手首）からストラップ部２ａを懸架して利用することを想定して、そのストラップ部２ａの長さが決定されていても良い。
【００６５】
また、第１の実施形態のアンテナ内蔵ストラップ１Ａは、外部アンテナ３を地上デジタル音声放送用アンテナとして形成しているが、この第１の実施形態においては、地上デジタル音声放送用電波の周波数帯域とは異なる周波数帯域の電波を外部アンテナ３が受信可能となるように、当該外部アンテナ３の放射導体３ｂとスリーブ３ｃとの全長を変更して形成されていても良い。
【００６６】
（２）第２の実施形態
以下、図９、図１０および図１１を用いて、第２の実施形態のアンテナ内蔵ストラップ１Ｂを説明する。
【００６７】
ここで、図９は、第２の実施形態のアンテナ内蔵ストラップのマイクロ・ストリップ線路を有する接続線の接地線と遠隔制御手段に備わる各接点と位置関係を概略的に示したものである。また、図１０は、図９の１０−１０断面図である。そして、図１１は、遠隔制御手段のある入力面が押下された際の図１０と同様の断面図である。
【００６８】
第２の実施形態のアンテナ内蔵ストラップ１Ｂは、ストラップ本体２、外部アンテナ３、接続線５および遠隔制御手段６を有して形成されている。
【００６９】
ここで、ストラップ本体２および外部アンテナ３は、第１の実施形態のアンテナ内蔵ストラップ１Ａと同様にして形成されている。
【００７０】
また、接続線５は、図９に示すように、マイクロ・ストリップ線路９Ｃを有して形成されている。
【００７１】
そして、遠隔制御手段６は、図９に示すように、直流電流を供給する携帯用電子機器１１の電源１９から給電線６ａを介して直列に接続された複数の抵抗の間およびその列の後端に、可撓性絶縁基板８ａに形成された接点８Ａ、８Ｂ、８Ｃ、８Ｄを有している。これらの接点８Ａ、８Ｂ、８Ｃ、８Ｄは、図１０に示すように、ストラップ部２ａに形成された入力面７ａ、７ｂ、７ｃ、７ｄの下方に配設されており、さらにその下方には、接地線５Ｃｂとして用いられるマイクロ・ストリップ線路９Ｃの平板状外部導体９Ｃｂが配設されている。すなわち、第２の実施形態の遠隔制御手段６は、マイクロ・ストリップ線路９Ｃの平板状外部導体９Ｃｂをスイッチ７Ａ、７Ｂ、７Ｃ、７Ｄの共通電極として用いている。すなわち、スイッチ７Ａ、７Ｂ、７Ｃ、７Ｄは、これらの接点８Ａ、８Ｂ、８Ｃ、８Ｄと平板状の外部導体９Ｃｂとによるメンブレンスイッチとなるように形成されている。
【００７２】
なお、入力面７ａ、７ｂ、７ｃ、７ｄに用いられるマーク、保護カバー４および接続プラグ５ｃは、図１及び図９に示すように、第１の実施形態と同様にして形成されている。
【００７３】
次に、図９および図１１を用いて、第２の実施形態のアンテナ内蔵ストラップ１Ｂの作用を説明する。
【００７４】
第２の実施形態のアンテナ内蔵ストラップ１Ｂの遠隔制御手段６は、図６に示すような接地導体１９ａに接続している接地線６ｂを別個に有しておらず、接続線５Ｃの接地線５Ｃｂ（平板状の外部導体９Ｃｂ）を各スイッチ７Ａ、７Ｂ、７Ｃ、７Ｄの共通電極として用いている。これにより、たとえば、図１１に示すように、人体Ｈがストラップ部２ａに形成された入力面７ｃを押下すると、その下方にある接点８Ｃおよび接地線５Ｃｂが接触し、携帯用電子機器１１の電源１９から供給された直流電流が、接点８Ｃを介して接地線５Ｃｂに流れる。このことから、携帯用電子機器１１の制御手段１６は、遠隔制御手段６からの入力操作（入力面７ｃからの押下操作）を検出することが可能となっている。
【００７５】
すなわち、第２の実施形態のアンテナ内蔵ストラップ１Ｂは、接続線５Ｃの接地線５Ｃｂを遠隔制御手段６の共通電極として形成されていることから、遠隔制御手段６に用いられる部材を一部兼用することが可能となる。これにより、当該遠隔制御手段６を簡易な構造にすることが可能となる。
【００７６】
なお、第２の実施形態においては、接続線５がマイクロ・ストリップ線路９Ｃを有して形成されている場合を例にして説明したが、この接続線５は、同軸ケーブル９Ａもしくはコプレーナ線路９Ｂを有して形成されていても良い。この場合、接点８Ａ、８Ｂ、８Ｃ、８Ｄと対向する位置に、マイクロ・ストリップ線路９Ｃの外部導体９Ｃｂのように、同軸ケーブル９Ａもしくはコプレーナ線路９Ｂの外部導体９Ａｂ、９Ｂｂに接続した平板状の接地導体（図示せず）を形成することにより、第２の実施形態のアンテナ内蔵ストラップ１Ｂと同様の効果が得られる。
【００７７】
以上のことから、本発明のアンテナ内蔵ストラップによって、携帯用電子機器が所望の電波を効率よくダイバーシティ受信して、フェージングによる信号劣化を効果的に防止することが可能となる。これにより、当該携帯用電子機器等の受信感度が向上する効果を奏する。
【００７８】
また、本発明のアンテナ内蔵ストラップの外部アンテナによって、所望の周波数帯域の電波のみを受信し、ノイズ源となる不要な電波を受信しなくなるという効果を奏する。
【００７９】
さらに、アンテナ内蔵ストラップは、携帯用電子機器のチューナに接続された制御手段を制御する遠隔制御手段を有していることから、高い携帯性を有するアンテナ内蔵ストラップの利便性をさらに向上させることが可能となる効果を奏する。
【００８０】
なお、本発明は、前述した実施形態などに限定されるものではなく、必要に応じて種々の変更が可能である。
【図面の簡単な説明】
【００８１】
【図１】本発明のアンテナ内蔵ストラップおよび携帯用電子機器の一態様を示した平面図
【図２】第１の実施形態のアンテナ内蔵ストラップの外部アンテナに同軸ケーブルを有する接続線が接続された状態を示した平面図
【図３】第１の実施形態のアンテナ内蔵ストラップの外部アンテナにコプレーナ線路を有する接続線が接続された状態を示した平面図
【図４】第１の実施形態のアンテナ内蔵ストラップの外部アンテナにマイクロ・ストリップ線路を有する接続線が接続された状態を示した平面図；（ａ）外部アンテナの誘電基板の一方の面（表面）から示す平面図、（ｂ）外部アンテナの誘電基板の他方の面（裏面）から示す平面図
【図５】図４（ａ）における５−５断面図
【図６】各実施形態のアンテナ内蔵ストラップの構造を示した概念的な回路図
【図７】各実施形態のアンテナ内蔵ストラップを人体の首から懸架した状態を示した概念図
【図８】本発明のアンテナ内蔵ストラップを人体の手首から懸架した状態を示した概念図
【図９】第２の実施形態のアンテナ内蔵ストラップのマイクロ・ストリップ線路を有する接続線の接地線と遠隔制御手段に備わる各接点と位置関係を示した平面図
【図１０】図９の１０−１０断面図
【図１１】遠隔制御手段のある入力面が押下された際の図１０と同様の断面図
【符号の説明】
【００８２】
１  アンテナ内蔵ストラップ
２  ストラップ本体
２ａ  ストラップ部
２ｂ  結束部
２ｃ  連結部
３  外部アンテナ
３ａ  誘電基板
３ｂ  放射導体
３ｃ  スリーブ
３ｃ１  接地線の端部に接続したスリーブ
３ｃ２、３ｃ３、３ｃ４  スリーブ３ｃ１よりも下方に接続されたスリーブ
３ｅ  誘電基板の一方の面（表面）
３ｆ  誘電基板の他方の面（裏面）
４  保護カバー
５  接続線
５Ａ  同軸ケーブルを有する接続線
５Ｂ  コプレーナ線路を有する接続線
５Ｃ  マイクロ・ストリップ線路を有する接続線
５ａ  給電線
５ｂ  接地線
５ｃ  接続プラグ
６  遠隔制御手段
６ａ  給電線
６ｂ  接地線
７Ａ、７Ｂ、７Ｃ、７Ｄ  スイッチ
７ａ、７ｂ、７ｃ、７ｄ  スイッチの入力面
８Ａ、８Ｂ、８Ｃ、８Ｄ  接点
８ａ  各接点を有する可撓性絶縁基板
９Ａ  同軸ケーブル
９Ａａ  内部導体
９Ａｂ  外部導体
９Ｂ  コプレーナ線路
９Ｂａ  内部導体
９Ｂｂ  外部導体
９Ｃ  マイクロ・ストリップ線路
９Ｃａ  内部導体（ストリップ線路）
９Ｃｂ  外部導体
１１  携帯用電子機器
１１ａ  接続リセプタクル
１１ｂ  （連結部の）取付孔
１２  ホイップアンテナ
１３  内蔵アンテナ
１４  アンテナ切替手段
１５  チューナ
１６  制御手段
１７  ディスプレイ
１８  スピーカ
１９  電源
１９ａ  接地導体
Ｐ  給電点
Ｇ  接地線の端部
【図１】
2006319732.tif 000003
【図２】
2006319732.tif 000004
【図３】
2006319732.tif 000005
【図４】
2006319732.tif 000006
【図５】
2006319732.tif 000007
【図６】
2006319732.tif 000008
【図７】
2006319732.tif 000009
【図８】
2006319732.tif 000010
【図９】
2006319732.tif 000011
【図１０】
2006319732.tif 000012
【図１１】
2006319732.tif 000013